(57)【要約】【課題】内ケースとホルダー本体との引出順序や押し込み順序を規制して二段引出構造の利点を操作や設置部側との関係に関わらず正常かつ安定に維持する。【解決手段】外ケース１と、外ケース１から前方へ突出した引出位置及び外ケースに収納される格納位置に摺動切換可能な内ケース２と、内ケース２より前方へ引き出した使用位置と内ケースに収納される非使用位置とに摺動切換可能なホルダー本体３とを備え、各位置への切換操作をホルダー本体３の前面側より行う引出装置である。内ケース２は枢支された状態で一方向へ付勢されている第１ロック部材４を有している。第１ロック部材４は内ケース２の格納位置でホルダー本体３の対応部と係合し、該係合によりホルダー本体３の単独の摺動を阻止しホルダー本体と一緒に内ケース２を引出位置まで摺動可能にし、かつ引出位置に略達したとき前記係合を解除してホルダー本体３の使用位置への摺動を許容する。【選択図】        図２
2004175168.tif 000002
【特許請求の範囲】
【請求項１】
前面を開口した外ケースと、該外ケースの前開口から前方へ突出した引出位置及び外ケースに収納される格納位置に摺動切換可能な内ケースと、該内ケースの前開口より前方へ引き出した使用位置及び内ケースに収納される非使用位置に摺動切換可能なホルダー本体とを備え、前記各位置への切換操作を全て前記ホルダー本体の前面側より行う引出装置において、
前記内ケースは、揺動可能に枢支された状態で一方向へ付勢されている第１ロック部材を有し、前記第１ロック部材が前記内ケースの格納位置で前記ホルダー本体の対応部と係合し、該係合により前記ホルダー本体の単独の摺動を阻止し該ホルダー本体と一緒に前記内ケースを引出位置まで摺動可能にし、かつ、前記引出位置に略達したとき前記係合を自動的に解除して該ホルダー本体の使用位置への摺動を許容することを特徴とする引出装置。
【請求項２】
前記内ケースは、揺動可能に枢支された状態で一方向へ付勢されている第２ロック部材を有し、前記第２ロック部材が前記内ケースの引出位置及び前記ホルダー本体の使用位置で前記外ケースの対応部と係合し、かつ、前記ホルダー本体を使用位置から非使用位置まで略摺動したとき前記係合を自動的に解除して内ケースの格納位置への摺動を許容する請求項１に記載の引出装置。
【請求項３】
前記第１と第２ロック部材は、略同一形状からなり、前記内ケースの対応部に軸部材を介してそれぞれ枢支され、該枢支部の一端側に係止爪を形成し、他端側にカム部を形成している請求項１又は２に記載の引出装置。
【請求項４】
前記第１ロック部材は前記係止爪を前記ホルダー本体側の凹部と係合し、前記外ケース側の凸部で前記カム部を押圧して係合解除すると共に、前記第２ロック部材は前記係止爪を前記外ケース側の凹部と係合し、ホルダー本体側の突起で前記カム部を押圧して係合解除する請求項３に記載の引出装置。
【請求項５】
前記ホルダー本体は、保持穴と、回動可能に付設されてホルダー本体の使用位置で横又は下方へ可動して保持穴に挿入される容器の周囲又は下面を支持する可動部材を有している請求項１から４の何れかに記載の引出装置。
【発明の詳細な説明】
【０００１】
【発明の属する技術分野】
本発明は、引出装置のうち、特に、固定側外ケースに対し内ケースを摺動可能に配置すると共に、該内ケースに対しホルダー本体を使用位置と非使用位置とに摺動切り換える（以下、二段引出構造と称する）タイプの引出装置に関する。
【０００２】
【従来の技術】
図７は本出願人が提案した文献１に記載の引出装置である。この装置は、外ケース５０と、内ケース５５と、保持穴６１付きのホルダー本体６０と、ホルダー本体６０に付設された可動部材６５とを備えている。外ケース５０は、取付部５１や位置決め部５２等を有し、前後面を開口しており、例えば、車両のインストルメントパネル７０の取付凹所７１に埋設状態に装着される。内ケース５５は、外ケース５０から前方へ突出した同図の引出位置及び外ケース５０に収納される格納位置に摺動切り換えられる。この場合、図７（ａ）の拡大部のごとく外ケース５０との間に設けられた弾性係止部材５６等により、引出位置及び格納位置の各位置で摺動を規制したり摺動時のがたつきを吸収する。ホルダー本体６０は、後側に片部６２、前面に操作部６３等を有し、内ケース５５より前方へ引き出した使用位置と内ケース５５に収納される非使用位置とに摺動切り換えられる。この場合、内ケース５５との間に設けられた不図示の凹部と突片等により最前位置で規制される。可動部材６５は、片部６２に対しアーム６６を介し取り付けられて、ホルダー本体６０を内ケース５５より引き出す過程で容器Ｋの下面を受け止める下斜めに回動し、ホルダー本体６０を内ケース５５に押し入れる過程でホルダー本体６０の内側に収まる。
【０００３】
以上の二段引出構造は文献２に開示されるよう簡素化されることもある。作動特徴は、ホルダー本体６０の前方突出寸法を外ケース５０に対する内ケース５５の摺動量に応じ大きくしたり、装置全体の前後寸法を小さくしたり、インストルメントパネル７０の奥行きスペースが小さな車体仕様にも採用可能にする。
【０００４】
【特許文献１】
特開２００１−１９９２７２号公報（第２〜第７頁、図１〜図９）
【特許文献２】
実開平２−１１５７３６号公報（第１頁、図１〜図６）
【０００５】
【発明が解決しようとする課題】
上記した二段引出構造では、通常、外ケース５０に対する内ケース５５の摺動及び内ケース５５に対するホルダー本体６０の摺動が間に設けられた凹凸嵌合等のガイド手段（上記の弾性係止部材２９等）により良好になるよう処理される。しかしながら、従来構造では、内ケース５５及びホルダー本体６０を前方へ引き出したり押し込めるときに、ホルダー本体６０の前面操作部６３を利用して引き操作したり押し操作するが、引出順序の規制手段がないため次のようなことが問題となる。まず、ホルダー本体６０を使用位置にする場合は、内ケース５５が完全に引出位置（設計上の最前方位置）に達しない前に、ホルダー本体６０が単独で内ケース５５との間の摩擦力に抗して相対的に前方へ動き易い。これに起因して、使用者は、例えば、内ケース５５が未だ引出位置に達していないにもかかわらず、装置使用態様に切り換えられたと錯覚してホルダー本体６０の引き力を解放してしまうことがある。このような不完全状態では、容器Ｋが正常に保持されなかったりがたつき易くなる。装置設置部との関係では、図７（ｂ）の例のごとくインストルメントパネル７０の上側部分７０ａが車室内側へ張り出していると、容器Ｋが該上側部分７０ａに当たり易くなる。ホルダー本体６０を非使用位置にする場合は、ホルダー本体６０が未だ非使用位置（設計上の最後方位置）に達しない前に、内ケース５５が相対的に後方へ押し入れられると、内ケース５５の前開口より外へ張り出している可動部材６５が他の部材と干渉する虞もある。
【０００６】
本発明の目的は、上記した問題を解消して、内ケースとホルダー本体との引出順序や押し込み順序を確実に規制することにより、二段引出構造の利点を使用者の操作や設置部側との関係に関わらず正常かつ安定に維持できるようにすることにある。他の目的は以下の内容説明と共に明らかにする。
【０００７】
【課題を解決するための手段】
上記目的を達成するため本発明は、図１〜図６の例で特定すると、前面を開口した外ケース１と、該外ケース１の前開口から前方へ突出した引出位置及び外ケースに収納される格納位置に摺動切換可能な内ケース２と、該内ケース２の前開口より前方へ引き出した使用位置及び内ケースに収納される非使用位置に摺動切換可能なホルダー本体３とを備え、前記各位置への切換操作を全て前記ホルダー本体３の前面側より行う引出装置において、前記内ケース２は、揺動可能に枢支された状態で一方向へ付勢されている第１ロック部材４を有し、前記第１ロック部材４が前記内ケース２の格納位置で前記ホルダー本体３の対応部と係合し、該係合により前記ホルダー本体３の単独の摺動を阻止し該ホルダー本体と一緒に前記内ケース２を引出位置まで摺動可能にし、かつ、前記引出位置に略達したとき前記係合を自動的に解除して該ホルダー本体３の使用位置への摺動を許容することを特徴としている。
【０００８】
以上の引出装置では、内ケース２が格納位置（ホルダー本体３が非使用位置）にあるとき、ロック部材４がホルダー本体３の対応部と係合している。この係合は、内ケース２とホルダー本体３とを一体に連結してホルダー本体単独の摺動を阻止する。このため、使用者がホルダー本体３の前側を利用して引き操作すると、内ケース２はホルダー本体３と一体に前方へ摺動されて格納位置より引出位置へ切り換えられ、ホルダー本体３は内ケース２が引出位置（設計上の最前方位置）に達した後、前方へ摺動されて非使用位置より使用位置へ切り換えられる。従って、この装置構造では、内ケース２が引出位置に達しない限り、ホルダー本体３が前方へ摺動されないため、例えば、装置を使用する際の引き操作により内ケース２を設計通り引出位置へ確実に切り換えて、課題に述べた不具合（内ケース２が引出途中にあるのに最前方位置に達したものと錯覚して引き力を解放する虞）を解消でき、容器Ｋをホルダー本体３に対し設計通り安定保持可能にする。
【０００９】
以上の本発明は実施に際し次のように具体化されることがより好ましい。即ち、（請求項２）前記内ケース２は、揺動可能に枢支された状態で一方向へ付勢されている第２ロック部材４Ａを有し、前記第２ロック部材４Ａが前記内ケース２の引出位置及び前記ホルダー本体３の使用位置で前記外ケース１の対応部と係合し、かつ、前記ホルダー本体３を使用位置から非使用位置まで略摺動したとき前記係合を自動的に解除して内ケース２の格納位置への摺動を許容する構成である。この第２ロック部材４Ａは、内ケース２が引出位置で外ケース１の対応部と係合するため外ケース１に対する内ケース２の外れを防ぐ。これに加え、ホルダー本体３が使用位置より非使用位置に切り換えられない限り、内ケース１の格納位置方向への摺動を阻止する。この利点は、ホルダー本体３として、形態例の可動部材３８や図７の可動部材６５等を備えていても、該可動部材がホルダー本体３の内側に収まって全体が内ケース１に収納されて非使用位置に切り換えられた後、内ケース１の格納位置方向への摺動を許容するため、可動部材が内ケース等と干渉する虞を解消可能にする。
（請求項３）前記第１と第２ロック部材４，４Ａは、略同一形状からなり、前記内ケース２の対応部に軸部材６を介してそれぞれ枢支され、該枢支部の一端側に係止爪４２を形成し、他端側にカム部４４を形成している構成である。これは、例えば、両ロック部材４，４Ａとして同じ部材を使用することで製造費を抑えたり部品管理や取り扱いを容易にする。
（請求項４）前記第１ロック部材４は前記係止爪４２を前記ホルダー本体３側の凹部３５と係合し、前記外ケース１側の凸部１５で前記カム部４４を押圧して係合解除すると共に、前記第２ロック部材４Ａは前記係止爪４１を前記外ケース１側の凹部１６ａと係合し、ホルダー本体３側の突起３６で前記カム部４２を押圧して係合解除する構成である。これは、上述した各ロック部材４，４Ａの作動が何れも凹凸等の簡単な構成により実現されることを特定したことに意義がある。
（請求項５）前記ホルダー本体３は、保持穴３３と、回動可能に付設されてホルダー本体の使用位置で横又は下方へ可動して保持穴３３に挿入される容器Ｋの周囲又は下面を支持する可動部材３８等を有している構成である。これは、上述した第２ロック部材４Ａによる利点を明らかにしたものである。この可動部材としては、図７に例示されるホルダー本体の下側へ回動する可動部材６５でもよい。
【００１０】
【発明の実施の形態】
本発明の実施形態を図面に基づいて説明する。この形態例は本発明を何ら制約するものではない。図１は本発明を適用した引出装置を、同（ａ）はホルダー本体の非使用位置で、同（ｂ）はホルダー本体の使用位置でそれぞれ示す概略外観図である。図２は図１（ｂ）の状態で左右中間の前後方向に沿って断面した引出装置の概略構成図、図３（ａ），（ｂ）は前記引出装置に付設された上下のロック部材を示す模式構成図である。図４〜図６は前記各ロック部材の作動を示し、各図（ａ）は前記引出装置の断面図、各図（ｂ）は上側のロック部材を拡大した模式図、各図（ｃ）は下側のロック部材を拡大した模式図である。なお、図４〜図６の各（ａ）では見やすくするため外ケースを除いてハッチングを省略した。以下の説明では、装置構造を詳述した後、使い方又は作動に言及する。
【００１１】
（装置構造）形態例の引出装置は、車両用のカップホルダーとして構成されており、主部材が外ケース１及び内ケース２と、ホルダー本体３とからなる。また、内ケース２に取り付けられた第１と第２のロック部材４，４Ａと、ホルダー本体３に取り付けられた可動部材３８とを備えている。また、形態例の引出装置は、被取付部として、図７に示したように自動車のインストルメントパネル７０に組み込むタイプであるが、車室内に装備される各種のコンソール等に組み込むこともある。外ケース１と内ケース２及びホルダー本体３は、外ケース１が被取付部側の取付凹所に装着されること、内ケース２が外ケース１に押し入れられる格納位置と、引き出された使用位置とに摺動切り換えられること、同じく、ホルダー本体３が内ケース２に押し入れられる非使用位置と、引き出される使用位置とに摺動切り換えられる関係であればよい。従って、基本構造としては、ロック部材４，４Ａ及びそれと関係する構成を除き文献１や２の引出装置（カップホルダーを含む）でもよく、又、可動部材３８は図７の可動部材６５でも差し支えない。各部材の細部は図１〜図３を用いて説明すると次の通りである。
【００１２】
前記外ケース１は、上半体１０及び下半体１１からなり、ケース内が上半体１０で形成している上面１２と、下半体１１で形成している下面１３と、上下半体１０，１１で形成している両側面１４とにより区画され、両半体１０，１１が両側面１４で一体化されて、前後面が開口している。上面１２には下向きの押圧用の凸部１５ａが設けられ、又、下面１３には係止穴用の凹部１６ａが設けられている。凸部１５ａは、上面１２の概略中央部を略コ形状のスリット１２ａにより区画した弾性片１５の一部に設けられて、内部に突出した弓形となっている。凹部１６ａは、下面１３の概略中央部に略コ形状のスリット１３ａを介し弾性傾斜片１６を区画形成し、該傾斜片１６の自由端とスリット１３ａの対応部との間の隙間により形成されている。なお、図１及び図６（ａ）において、符号１７は両側面１４の内壁に設けられた断面略コ形のガイト溝であり、符号１８はケース内側に折り曲げられている上半体１０の下縁部である。以上の外ケース１には、図示を省略したが、図７の取付部５０や位置決め部５２に相当する部分が必要に応じて付設される。
【００１３】
前記内ケース２は、相対的に厚い上面２０と、上面２０よりも薄い下面２１と、両側面２２とにより区画されて、前後面が開口されている。長さ寸法は、図４で明らかなごとく外ケース１の全寸よりも少し長くなっている。上面２０には、両側付近に位置して、ケース内側の前後方向に延びている対のガイド溝２３と、左右略中間の後側に位置して、第１ロック部材４に対応した配置穴２４とが設けられている。両ガイド溝２３は前側が少し幅細に形成されている。配置穴２４は、図３（ａ）のごとく第１ロック部材４を回動可能に配置可能な大きさの略矩形に形成され、又、穴を区画している左右部分２５に設けられた同軸線上の軸孔２５ａを有している。なお、上面２０の後側にあって、配置穴２４に対応して左右部分が欠如され、該欠如部より後述する軸部材４６を取付孔２５ａに装着できるようにしている。下面２１は、図３（ｂ）のごとく左右中間に位置し、前後中間より少し前側から後端までを略矩形状に欠如した切欠部２６と、該切欠部２６の後側を更に大きく欠如した第２ロック部材４Ａに対応した配置穴２７と、切欠部２６の両後縁を突設した規制部２６ａと、配置穴２７の両側に突出された枢支用突片２８と、各突片２８に設けられて同軸線上にある取付孔２８ａと、配置穴２７の後端側に設けられて両側より延びている小突片２９とを有している。両側面２２には、外壁側に設けられて上前後方向に延びているガイド溝２２ａ及び前記下縁部１８と嵌合するガイド溝２２ｂと、内壁側の上下部に設けられて前後方向に平行に延びているレール部２２ｃ（図６（ａ）参照）が設けられている。
【００１４】
前記ホルダー本体３は、内ケース２内に入れられる部分３０と、部分３０の前側に鍔状に設けられた操作部３１と、部分３０の前両側に設けられた保持穴３２と、保持穴３２に対応して取り付けられて保持穴３２に挿入される容器Ｋの周面を保持穴３２と共に拘束する可動部材３８等を備えている。操作部３１は、部分３０の前端に装着されて、前面中央部に指等を掛止める凹部３１ａを有し、内ケース２及び外ケース１を前面側より目視不能に覆う大きさとなっている。部分３０は、左右に対の保持穴３２を形成し、保持穴３２より後側にあって、上面３０ａと面一に付設された板３３と、下後面３０ｂに設けられた段差部３４と、側面に設けられて前記レール部２２ｂと嵌合する不図示のガイド溝とを有している。各保持穴３２は、円筒状の外側部分を開口し、該開口部に対し可動部材３８を片持ち状態に回動可能に枢支し、かつ、付勢ばねで図１（ｂ）の例のごとく一方向に付勢することにより、上から挿入される容器Ｋが外径の少し異なる場合にも保持穴３２と可動部材３８との間で拘束保持可能にする。板３３には、前記配置穴２４に枢支される第１ロック部材４と係脱する凹部３５と、前記各ガイド溝２３に対応したガイド凸部３６とが設けられている。段差部３４は、前記した配置穴２７に対応して下面３０ｂにおける左右中間部の後側に設けられて、配置穴２７に取り付けられる第２ロック部材４Ａを逃げると共に、ホルダー本体３を使用位置より非使用位置へ摺動する過程で第２ロック部材４のカム部４２を押圧する突起３７を形成している。
【００１５】
前記各ロック部材４，４Ａは、本体４０が図３のごとく内ケース２の配置部２４や配置部２７にそれぞれ収まる大きの概略コ形状であり、同じものが使用されている。本体４０は、一端側であるコ形状の中間部４１に係止爪４２を形成し、他端側であるコ形状の両片４３の自由端側にカム部４４を上向きに突設している。また、中間部４１は、横方向に配置され、係止爪４２を下側に突出し、該係止爪４２の上側に位置し、両片４３から延びる面に対し先端下側に段差４５を形成している。各カム部４４の下側、つまり両片４３の自由端側には同軸線上に軸孔４３ａが設けられている。各カム部４４は、最上部が上記突片２８より突出し、上面が湾曲されているカム面である。
【００１６】
そして、ロック部材４は、配置部２４内にあって、軸部材４６を一方取付孔２５ａ、一方軸孔４３ａ、コイル形の付勢ばね４８、他方軸孔４３ａ、他方取付孔２５ａへ挿通した状態で配置部２４に対し軸部材４６を支点として回動可能に枢支され、又、付勢ばね４８の両端が対応部に掛止められると係合方向である下向きに回動付勢される。但し、この回動は、図４（ｂ）のごとく段差４５が配置部２４の一段低くなった前縁部２４ａに係止されて係合状態に保たれる。これに対し、ロック部材４Ａは、配置部２７内にあって、軸部材４７を一方突片２８の取付孔２８ａ、一方軸孔４３ａ、コイル形の付勢ばね４９、他方軸孔４３ａ、他方突片２８の取付孔２８ａへ挿通した状態で配置部２７に対し軸部材４７を支点として回動可能に枢支され、又、付勢ばね４９の両端が対応部に掛止められると係合方向である下向きに回動付勢される。この回動も、図６（ｃ）のごとく段差４５が配置部２７の前側にある規制部２６ａに係止されて係合状態に保たれる。
【００１７】
（作動）以上の各部材は組立状態で次のような関係になっている。まず、内ケース２は、上記したガイド溝２２ａとガイド溝１７の対応部との嵌合、上記したガイド溝２２ｂと下縁部１８との嵌合等を介して外ケース１に対し格納位置と前方へ引き出した引出位置との間で摺動切換可能となる。格納位置ではホルダー本体３の操作部３１により規制され、引出位置では下縁部１８がガイド溝２２ｂの前端に当たって規制される。ホルダー本体３は、上記したガイド溝２３とガイド凸部３６との嵌合、上記したレール部２２ｃとホルダー本体側部のガイド溝との嵌合等を介して内ケース２に対し非使用位置と前方へ引き出した使用位置との間で摺動切換可能となる。非使用位置では操作部３１により規制され、使用位置ではガイド凸部３６がガイド溝２３の幅細になった前溝部分で規制される。可動部材３８は、ホルダー本体３の非使用位置では保持穴３２側へ回動されて内ケース２内にがたつきなく収まっており、又、ホルダー本体３が引き出される過程で保持穴３２の外側へ回動して使用態様となる。この形態では、以上の基本作動に加えて次の切換作動が従来品に対し大きく改善されている。
【００１８】
図４は引出装置の非使用態様であり、内ケース２が格納位置、ホルダー本体３が非使用位置にある。この状態では、上側のロック部材４は、図示省略した付勢ばね４８の付勢力で係合方向である下向きに回動付勢されており、係止爪４２がホルダー本体３（板３３）の凹部３５と係合している。この係合は、内ケース２とホルダー本体３とを連結して一体化しており、又、内ケース２が図５の引出位置（設計上の最前方位置）にほぼ達するまで維持される。なお、下側のロック部材４Ａは、図４及び図５の態様において、各（ｃ）のごとく係合解除されている。図５は引出装置の引出途中態様で、内ケース２が引出位置にある。ロック部材４は、同（ｂ）のごとく内ケース２が引出位置に達する直前まで摺動されると、カム部４４が外ケース１における弾性片１５の凸部１５ａに当たって下向きに押されて、軸部材４６を支点として逆時計回りの方向へ回動される結果、係止爪４２が凹部３５から係合解除される。即ち、この形態では、操作部３１の引き操作により、内ケース２が引出位置に達するまでは前記ロック部材４の係合によってホルダー本体３及び内ケース２が常に一体物として引き出されること、引出位置に達した後は前記した係止爪４２と凹部３５との係合が自動的に係合解除されること、係合解除後はホルダー本体３だけが前方の使用位置へ摺動されること等の作動を実現している。このため、使用者は、操作部３１を利用して引き操作すると、ホルダー本体３の前方への摺動が内ケース２を引出位置（設計上の最前方位置）にしない限り不可能となり、内ケース２が引出位置に切り換えられた後、ホルダー本体３が初めて図６の使用位置まで摺動される。これにより、この構造では、従来品のごとく内ケースが引出途中の状態で、ホルダー本体だけが引き出されるという様な虞を解消できる。この利点は、課題に記載したごとく可動部材３８や図７の可動部材６５等を常に設計通りの使用状態にして、容器Ｋを確実に安定保持可能にしたり、図７（ｂ）のごとく内ケース等の引出不足により容器Ｋがインストルメントパネル７０の前方へ張り出した上側部分７０ａに当たったり干渉するという虞も解消可能にすることにある。
【００１９】
また、下側のロック部材４Ａは、図４及び図５の態様において、各（ｃ）のごとく係合解除されている。即ち、ロック部材４Ａは、カム部４４がホルダー本体３の後下側の突起３７に当たって下向きに押されて、軸部材４６を支点として逆時計回りの方向へ回動される結果、係止爪４２が図５のごとく上記した凹部１６ａから係合解除される。該係合解除は、ホルダー本体３が内ケース２に対し相対的にずれない限り、つまり内ケース２が図５の引出位置に達した後も維持される。そして、ロック部材４Ａは、ホルダー本体３が図５の非使用位置より前方へ引き出されると、突起３７もカム部４４より離れて前方へ位置移動、つまりカム部４４に対する突起３７の押圧を解放するため、図６（ｃ）のごとく図示省略した付勢ばね４９の付勢力により軸部材４７を支点として時計回りへ回動されて係止爪４２を凹部１６ａに係合する。内ケース２は、その係合により、ホルダー本体３が再び非使用位置付近まで摺動されない限り外ケース１に対し位置固定される。この利点は、引出装置が不要になって、操作部３１を押し操作したとき、ホルダー本体３が内ケース２に対し完全に非使用位置に切り換えられないと前記係合が解除されない。これにより、構造的には、ホルダー本体３が可動部材３８や図７の可動部材６５等を有していても、それら可動部材がホルダー本体３の対応部及び内ケース２の内側に収められた後、内ケース１が格納位置へ摺動されるようにして、内ケース等と干渉する虞を解消可能にすることにある。
【００２０】
【発明の効果】
以上説明した通り、本発明に係る引出装置は、内ケースに付設された第１ロック部材が内ケースの格納位置でホルダー本体の対応部と係合し、該係合が内ケースを引出位置に切り換えたときに解除される。このため、この構造では、装置を使用するためホルダー本体を引き操作すると、内ケースが引出位置に達した後、次にホルダー本体が前方へ摺動される。これにより、課題に述べたような内ケースが引出途中の状態で使用されるという虞を確実になくして、容器等を常に安定保持できるようにし、使い勝手及び装置信頼性を向上できる。また、請求項２の第２ロック部材を有していると、ホルダー本体が非使用位置に切り換えられた後、次に内ケースが格納位置方向へ摺動されるようにして、ホルダー本体が請求項５の可動部材を有していても課題に述べたような干渉の虞を解消できる。
【図面の簡単な説明】
【図１】本発明形態の引出装置を示す概略外観図である。
【図２】上記引出装置を前後方向に断面した概略外観図である。
【図３】上記引出装置に付設されたロック部材の模式構成図である。
【図４】上記引出装置を内ケースの格納位置で示す模式断面図である。
【図５】上記引出装置を内ケースの引出位置で示す模式断面図である。
【図６】上記引出装置をホルダー本体の使用位置で示す模式断面図である。
【図７】従来引出装置の問題点を説明するための模式断面図である。
【符号の説明】
１…外ケース（１５は凸部、１６ａは凹部）
２…内ケース
３…ホルダー本体（３５は凹部、３６は突起、３８は可動部材）
４…第１ロック部材
４Ａ…第２ロック部材
４０…本体（４２は係止爪、４４はカム部）
４８，４９…付勢ばね
４６，４７…軸部材
Ｋ…容器
【図１】
2004175168.tif 000003
【図２】
2004175168.tif 000004
【図３】
2004175168.tif 000005
【図４】
2004175168.tif 000006
【図５】
2004175168.tif 000007
【図６】
2004175168.tif 000008
【図７】
2004175168.tif 000009